(57)【特許請求の範囲】
【請求項１】
システムの複数の構成要素それぞれの状態を画面上でループ状に個別表示するための画面表示制御方法であって、
前記構成要素に関する表示対象の総数Ａ（Ａは正の整数）と画面上での個別表示総数Ｂ（Ｂは正の整数）とを比較して、「Ａ＞Ｂ」のときには、（Ａ−Ｂ）個の個別表示対象を１つの表示対象として示す集合部をループ状部分の一部に表示するとともに、Ｂ相当分の前記表示対象をそれぞれ個別表示し、
前記集合部には、前記画面上に個別表示されていない前記（Ａ−Ｂ）個の個別表示対象についての、総数と、異常な表示対象の有無と、異常な表示対象の総数とを含む、要約情報が表示され、
回転表示の指示に基づいて、前記集合部に該当する任意の個数の前記表示対象を新たに個別表示するとともに、それまで個別表示されていた前記表示対象の当該個数対応分を前記集合部に移行させる、
ことを特徴とする画面表示制御方法。
【請求項２】
システムの複数の構成要素それぞれの状態を画面上に表示する表示手段と、
前記構成要素に関する表示対象の回転表示についての指示を行う指示手段と、
前記表示対象の総数Ａ（Ａは正の整数）と画面上での個別表示総数Ｂ（Ｂは正の整数）とを比較して、「Ａ＞Ｂ」のときには、（Ａ−Ｂ）個の個別表示対象を１つの表示対象として示す集合部を前記表示手段のループ状部分の一部に表示して、当該集合部には当該画面上に個別表示されていない当該（Ａ−Ｂ）個の個別表示対象についての、総数と、異常な表示対象の有無と、異常な表示対象の総数とを含む、要約情報が表示されるとともに、Ｂ相当分の前記表示対象をそれぞれ当該ループ状部分に個別表示するように前記表示手段を制御し、かつ、前記指示手段からの回転表示の指示に基づき、この指示内容に対応する形で、当該集合部に該当する任意の個数の前記表示対象を新たに個別表示するとともに、それまで個別表示されていた前記表示対象の当該個数対応分を当該集合部に移行させるように前記表示手段を制御する、管理手段とを備えた、
ことを特徴とする画面表示制御装置。
【請求項３】
システムの複数の構成要素それぞれの状態を画面上でループ状に個別表示するための画面表示制御に用いられるプログラムを格納した記録媒体において、
当該プログラムが、
前記構成要素に関する表示対象の総数Ａ（Ａは正の整数）と画面上での個別表示総数Ｂ（Ｂは正の整数）とを比較して、「Ａ＞Ｂ」のときには、（Ａ−Ｂ）個の個別表示対象を１つの表示対象として示す集合部をループ状部分の一部に表示して、当該集合部には当該画面上に個別表示されていない当該（Ａ−Ｂ）個の個別表示対象についての、総数と、異常な表示対象の有無と、異常な表示対象の総数とを含む、要約情報が表示されるとともに、Ｂ相当分の前記表示対象をそれぞれ個別表示し、
回転表示の指示に基づいて、前記集合部に該当する任意の個数の前記表示対象を新たに個別表示するとともに、それまで個別表示されていた前記表示対象の当該個数対応分を前記集合部に移行させる、機能をコンピュータに実現させるためのものである、
ことを特徴とするコンピュータ読み取り可能なプログラム記録媒体。
【発明の詳細な説明】
【０００１】
【発明の属する技術分野】
本発明は、多数のシステム構成要素それぞれの状態、例えばクラスタシステムを構成する複数のノ−ド（コンピュ−タ）やそれぞれの資源の状態（運用状態など）を画面上でル−プ状に個別表示するための画面表示制御に関する。
【０００２】
一般に、システムの構成要素が多くなってそれらすべての状態を一画面に個別表示できないときにも、画面スクロ−ルの手法を用いずに、良好な操作性と可視性の下で同一画面上に各構成要素を順次表示可能とすることが望ましく、本発明はこのような要請に応えるものである。
【０００３】
【従来の技術】
図１２は、従来のノ−ド表示の概要を示す説明図であり、（ａ）は平面表示、（ｂ）はツリ−表示の状態を示している。
ここで、平面表示制御方式は、クラスタシステムの構成要素であるノ−ドを示すノードアイコン６１をそれぞれ相互に接続した形で画面表示し、またツリ−表示制御方式は、これらのノ−ドアイコン６１をツリ−構造の形で画面表示している。
【０００４】
これらの画面表示制御方式の場合、クラスタシステムのノ−ド数が増加してくると画面表示されずに隠れてしまったままのノ−ドアイコンが生じ、さらには画面の縁部分で分断された形のノ−ドアイコン６１ａが生じることになる。
【０００５】
隠れているノ−ドアイコンや不完全表示のノ−ドアイコン６１ａの全体を画面中に表示するためには、上下方向のスクロ−ルボタン６２および左右方向のスクロ−ルボタン６３を操作しなければならない。
【０００６】
【発明が解決しようとする課題】
このように、従来の画面表示制御方式では、システムの複数の構成要素（例えばノ−ドやその資源など）の数が多い場合にはその全体を一画面の中に収めることができず、また画面の縁部分で中断されてしまう構成要素も生じることになるため、可視性が悪く、画面に現れていない構成要素に異常があるときには画面スクロ−ルの操作をしない限りそれに気付かないという問題点があった。
【０００７】
そこで、本発明では、システム構成要素の全体についての表示対象を個別表示群とそれ以外の非個別表示の集合部（例えば集合アイコン）とに分けて両者をル−プ状に画面表示した上で、回転表示の指示に基づいて、集合部に該当のシステム構成要素の例えば一つを新たに個別表示するとともに、それまで個別表示されていた例えば一つのシステム構成要素を集合部にいわば隠してしまうことにより、システム構成要素の数が個別表示総数を越える状況でも構成要素全体に対して優れた可視性を確保することを目的とする。
【０００８】
また、ｘ，ｙの２方向への移動を前提とするスクロ−ル操作に比べて、基本的に単一方向への回転操作によりすべての構成要素を個別表示させることにより、操作が簡単で利便性の高い画面表示手法を提供することを目的とする。
【０００９】
【課題を解決するための手段】
本発明はこの課題を次のようにして解決する。
（１）システムの複数の構成要素それぞれの状態を画面上でループ状に個別表示するための画面表示制御において、前記構成要素に関する表示対象の総数Ａ（Ａは正の整数）と画面上での個別表示総数Ｂ（Ｂは正の整数）とを比較して、「Ａ＞Ｂ」のときには、（Ａ−Ｂ）個の個別表示対象を１つの表示対象として示す集合部をループ状部分の一部に表示するとともに、Ｂ相当分の前記表示対象をそれぞれ個別表示し、前記集合部には、前記画面上に個別表示されていない前記（Ａ−Ｂ）個の個別表示対象についての、総数と、異常な表示対象の有無と、異常な表示対象の総数とを含む、要約情報が表示され、回転表示の指示に基づいて、前記集合部に該当する任意の個数の前記表示対象を新たに個別表示するとともに、それまで個別表示されていた前記表示対象の当該個数対応分を前記集合部に移行させる。
【００１０】
本発明によれば、上記（１）のように、各システム構成要素の状態をル−プ状に個別表示することを前提とし、システム構成要素の数が多くてその全体を個別表示できない場合にはこの超過分を集合部として表示し、その後の回転表示の指示に基づいて、それまで集合部に入っていたシステム構成要素の例えば一つを新たに個別表示するともに、それまで個別表示されていたシステム構成要素の例えば一つを集合部に移行させる、すなわち個別表示の対象外に移行させるので、同一の固定画面上にシステム構成要素それぞれの状態が確実に表示されていく。
【００１１】
本発明は、以上の機能を有する画面表示制御方法および画面表示制御装置や、この機能をコンピュ−タに実現させるためのプログラムを格納したコンピュ−タ読み取り可能なプログラム記録媒体を対象としている。
【００１２】
【発明の実施の形態】
図１乃至図１１を用いて本発明の実施の形態を説明する。
なお、以下の実施の形態では、説明の便宜上、複数のノ−ド（コンピュ−タ）を接続したクラスタシステムにおけるノ−ドやそれの各種資源などのシステム構成要素の運用状態を画面表示する場合を前提とし、回転表示単位はシステム構成要素１個とする。
【００１３】
図１はノ−ド数ｎのクラスタシステム表示の説明図、図２は図１の異常ノードの資源表示の説明図であり、１は画面、２はル−プ，１１はノ−ド集合アイコン（集合部），１２乃至１４はノ−ドアイコン（の一部），１５は連続順方向ボタン，１６は順方向ボタン，１７は停止ボタン，１８は逆方向ボタン，１９は連続逆方向ボタン、２１は資源集合アイコン（集合部）、２２乃至２４は資源アイコン（の一部）をそれぞれ示している。
【００１４】
図１の画面１には、
・〔ノ−ド１〕アイコンからノ−ドアイコン１２までの右側個別表示グル−プ
・ノ−ド集合アイコン１１
・ノ−ドアイコン１３から〔ノ−ドｎ〕アイコンまでの左側個別表示グル−プ
がそれぞれル−プ２に沿った形で、３次元グラフィックスにより反時計方向の順に表示されている。
【００１５】
個別表示の各ノ−ドアイコンには、
・自ノ−ドの正常／異常を示す運用管理情報
・自ノ−ドの名称、形式や設置箇所などの関連情報（図示省略）
などが表示される。図示の場合、〔ノ−ド３〕アイコンおよびノ−ドアイコン１４が強調表示され、これらに対応する各ノ−ドが異常状態であることを示している。
【００１６】
また、ノ−ド集合アイコン１１には、個別表示されていない各ノ−ドを要約した情報、例えば、
・当該ノ−ドの総数
・当該ノ−ドの中に異常ノ−ドが存在するかどうか
・当該異常ノ−ドの総数
などが表示される。図示の場合、ノ−ド集合アイコン１１の部分は強調表示され、個別表示されていないノ−ド中に異常状態のノ−ドが存在することを示している。
【００１７】
図１の画面上において、回転表示用のボタン１５，１６，１８および１９をマウスでクリックするとそれまでのノ−ドアイコンの表示位置が回転移動する。
【００１８】
すなわち、順方向ボタン１６をクリックした場合、
・それまで１４の位置に表示されていたノ−ドアイコンが隣の１３の位置にシフトし、
・それまで１３の位置に表示されていたノ−ドアイコンが個別表示の対象外としてノ−ド集合アイコン１１に入り、
・それまでノ−ド集合アイコン１１に入っていたノ−ドの一つが隣の１２の位置に新たなノードアイコンとして個別表示される、
というように、図示の各ノ−ドアイコンが時計方向に一つだけインクリメントした表示位置へ回転移動し、ノ−ド集合アイコン１１の右隣の位置には新たなノ−ドアイコンが個別表示される。
【００１９】
連続順方向ボタン１５をクリックした場合には、以上の時計方向へのノ−ドアイコン表示の回転移動が例えば１秒ごとに行なわれ、当該回転移動は停止ボタン１７のクリック操作により終了する。
【００２０】
また、逆方向ボタン１８をクリックするとノ−ドアイコンそれぞれの表示位置が反時計方向に一つずつ回転移動し、例えば、
・それまで１２の図面右隣に表示されていたノ−ドアイコンが１２の位置までシフトし、
・それまで１２の位置に表示されていたノ−ドアイコンが個別表示の対象外としてノ−ド集合アイコン１１に入り、
・それまでノ−ド集合アイコン１１に入っていたノ−ドの一つが隣の１３の位置に新たなノードアイコンとして個別表示される。
【００２１】
また、連続逆方向ボタン１９をクリックした場合には、連続順方向ボタン１５のときと同じように、停止ボタン１７がクリックされるまで各ノ−ドアイコンの表示位置が反時計方向へ例えば１秒ごとに回転移動する。
【００２２】
図２は図１の画面上の〔ノード３〕アイコンをクリックした後の表示画面であり、ノード３を構成するメモリやディスクなどの各資源の運用状態が図１と同様の表現形式で示されている。
【００２３】
すなわち、個別表示の各資源アイコンには、
・自資源の正常／異常を示す運用管理情報
・自資源の名称、形式や容量などの関連情報（図示省略）
などが表示される。図示の場合、資源アイコン２２が強調表示され、これに対応の資源状態が異常であることを示している。
【００２４】
また、資源集合アイコン２１には、個別表示されていない各ノ−ドを要約した情報、例えば、
・当該資源の総数（図示省略）
・当該資源の中に異常資源が存在するかどうか
・当該異常資源の総数（図示省略）
などが表示される。図示の場合、資源集合アイコン２１の部分が強調表示され、個別表示されていない資源中に異常状態の資源が存在することを示している。
【００２５】
また、図２の連続順方向ボタン１５，順方向ボタン１６，逆方向ボタン１８，連続逆方向ボタン１９や停止ボタン１７の機能は図１の場合と同じであり、
・連続順方向ボタン１５または順方向ボタン１６をクリックすると、画面１上の各資源アイコンが時計方向に一つずつ回転移動するとともに、それまで資源集合アイコン２１にいわば収納されていた資源アイコンが２３の位置に新たに個別表示され、
・逆方向ボタン１８または連続逆方向ボタン１９をクリックすると、画面１上の各資源アイコンが反時計方向に一つずつ回転移動するとともに、それまで資源集合アイコン２１に収納されていた資源アイコンが２４の位置に新たに個別表示され、
・連続順方向ボタン１５や連続逆方向ボタン１９をクリックした場合には、この時計方向または逆時計方向への回転移動が例えば１秒ごとに、停止ボタン１７をクリックするまで続く。
【００２６】
なお、図１または図２の画面１の各アイコンをマウスの操作で画面上の任意の位置に移動させることもできる。
【００２７】
図３はシステム構成例を示す説明図であり、
３１はクラスタシステムの構成要素であってそれぞれがＬＡＮにより表示制御装置側と接続されているノード群（コンピュータ群），
３２は入出力インタフェース，
３３は図１や図２のアイコン表示を実行するための表示制御装置，３３ａは図９や図１０の処理を実行する運用管理部（管理手段），３３ｂはタイマ，３３ｃは管理テ−ブル（図４乃至図７参照），３３ｄは表示用テ−ブル（図８参照），
３４は各ノードの運用状態デ−タなどを保持するメモリ，
３５は図１や図２の各ボタンを操作する回転表示指示装置（マウス），
３６は表示装置，３６ａはフレ−ムメモリ，３６ｂは図１や図２の表示画面，
をそれぞれ示している。
【００２８】
ここで、表示制御装置３３の運用管理部３３ａは、概略、
・クラスタシステムの各ノード３１から定期的にそれぞれの運用デ−タ（ノードデ−タや資源デ−タなど）を受け取って階層構造の形でメモリ３４に格納し、
・画面表示する各ノード（または各資源）と管理番号（表示位置番号）との対応関係を管理テ−ブル３３ｃに保持し、
・画面表示する各ノードのノードデ−タ（または各資源の資源デ−タ）を表示用テ−ブル３３ｄに保持し、
・管理テ−ブル３３ｃおよび表示用テ−ブル３３ｄの内容に基づくアイコン表示用ビットデ−タを生成して、これを表示装置３６のフレ−ムメモリ３６ａに格納する、
ことにより、図１や図２のアイコン表示を実行している。
【００２９】
図４乃至図７は管理テ−ブルの内容を示す説明図であり、Ｎはノ−ド総数，Ｄは個別表示総数，Ｘはル−プ右側部分への個別表示数，Ｙはル−プ左側部分への個別表示数，Ｍ（＝Ｎ−Ｄ）は集合アイコンに該当するノード数をそれぞれ示している。
【００３０】
図４および図５の管理テ−ブルの内容はいわば初期状態であり、ノード１乃至ノードＮのそれぞれに１，２，・・・，Ｎ−１，Ｎの順番の管理番号を付与した形になっている。この管理番号は、図１および図２のル−プ２における各アイコンの表示位置番号でもある。
【００３１】
図４の管理テ−ブルは、クラスタシステムの各ノードの運用状態はすべてノードアイコンの形で画面上に個別表示される場合、すなわち集合アイコンがない場合に相当している。
【００３２】
図５の管理テ−ブルは、ノ−ド総数Ｎと個別表示総数Ｄの関係が「Ｎ＞Ｄ」の場合に相当し、管理番号（Ｘ＋１）乃至（Ｎ−Ｙ）の各ノードが集合アイコンとして表示される。
【００３３】
図６の管理テ−ブルは、順方向ボタン１６または連続順方向ボタン１５をクリックした場合に相当し、管理番号とノードとの対応関係が、
・管理番号１とノード２
・管理番号Ｘとノード（Ｘ＋１）
・管理番号（Ｎ−１）とノードＮ
・管理番号Ｎとノード１
といったように、図５の場合に比べて各ノード番号が、管理番号Ｎの部分を除いて「＋１」だけインクリメントした形になっている。
【００３４】
図７の管理テ−ブルは、逆方向ボタン１８または連続逆方向ボタン１９をクリックした場合に相当し、管理番号とノードとの対応関係が、
・管理番号１とノードＮ
・管理番号２とノード１
・管理番号Ｘとノード（Ｘ−１）
・管理番号（Ｘ＋１）とノードＸ
・管理番号Ｎとノード（Ｎ−１）
といったように、図５の場合に比べて各ノード番号が、管理番号１の部分を除いて「−１」だけインクリメントした形になっている。
【００３５】
図８は表示用テーブルを示す説明図であり、４１は画面表示する各ノードのノードデ−タを保持したノード一覧テーブル，４２は画面表示する各資源の資源デ−タを保持した資源一覧テーブルをそれぞれ示している。
【００３６】
ここで、クラスタシステムの各ノードの運用状態を画面表示するときにはノード一覧テーブル４１が表示用テーブル３３ｄとして準備され、また、図１の表示画面の〔ノ−ド３〕アイコンをクリックしてその各資源の運用状態を画面表示するときには当該ノードに対応の資源一覧テーブル４２が表示用テーブル３３ｄとして準備される。なお、このテーブル作成に用いるデ−タ自体は階層構造の形でメモリ３４に格納されている。
【００３７】
図９は複数ノードのル−プ状表示処理手順を示す説明図であり、その内容は次のようになっている。なお、図９および図１０の処理の実行主体は運用管理部３３ａである。
【００３８】
(S11) 画面１のル−プ２上への個別表示可能なノード総数（アイコン総数）Ｄや、ル−プ２の右側部分への表示ノード数（アイコン数）Ｘを設定して、次のステップに進む。また、Ｙ（＝Ｄ−Ｘ）を併せて設定する。
(S12) クラスタシステムを構成するＮ個のノードそれぞれの運用状態デ−タ（ノードデ−タおよびその資源デ−タ）を求めて、メモリ３４に格納し、次のステップに進む。
(S13) この運用状態デ−タ（ノードデ−タ）を管理テ−ブル３３ｃに保持してその先頭から１，２，・・・，Ｎの順に管理番号（表示位置番号）を付け、表示用テーブル３３ｄにノード一覧テーブル４１を作成して、次のステップに進む。
(S14) 「Ｎ＝０」であるかどうかを判断し、「YES 」の場合は一連の処理を終了し、「NO」の場合は次のステップに進む。
(S15) 「Ｎ≦Ｄ」であるかどうかを判断し、「YES 」の場合はステップ(S17) に進み、「NO」の場合は次のステップに進む。ここで、「N0」となるのは、すべてのノードのアイコンを個別表示できないため、図１のようにノード集合アイコン１１を併用する場合である。
(S16) 管理番号１乃至Ｘの各ノードを画面１のル−プ２の右側部分に、管理番号（Ｎ−Ｙ＋１）乃至Ｎの各ノードをル−プ２の左側部分にそれぞれ反時計方向にこの順で個別表示し、また、ノードＸの表示部分の次にノード集合アイコンを表示して（図１，図５参照）、一連の処理を終了する。
(S17) 「Ｎ≦Ｘ」であるかどうかを判断し、「YES 」の場合はステップ(S19) に進み、「NO」の場合は次のステップに進む。
(S18) 管理番号１乃至Ｘの各ノードを画面１のル−プ２の右側部分に、管理番号（Ｘ＋１）乃至Ｎの各ノードをル−プ２の左側部分にそれぞれ反時計方向にこの順で個別表示して（図４参照）、一連の処理を終了する。
(S19) 管理番号１乃至Ｎの各ノードを画面１のル−プ２の右側部分にこの順で反時計方向に個別表示して、一連の処理を終了する。
【００３９】
なお、ステップ(S16) ，(S18) および(S19) の処理のとき、運用管理部３３ａは管理テ−ブル３３ｃや表示用テーブル３３ｄの内容に基づくアイコン表示用デ−タを作成し、これを入出力インタフェース３２を介して表示装置のフレ−ムメモリ３６ａに送る。
【００４０】
図１０は複数ノードの回転表示処理手順を示す説明図であり、その内容は次のようになっている。
【００４１】
(S31) 回転ボタン（１５，１６，１８および１９の各ボタン）がクリックされたかどうかを判断し、「YES 」の場合は次のステップに進み、「NO」の場合はこの判断を繰り返す。
(S32) クリックされた回転ボタンが順方向ボタン（１５および１６の各ボタン）であるかどうかを判断し、「YES 」の場合は次のステップに進み、「NO」の場合はステップ(S38) に進む。
(S33) 図６に示すように管理テーブル３３ｃの管理番号とノード番号との対応を順方向に一つずつずらすとともに、タイマ３３ｂをリセットして、次のステップに進む。
(S34) テーブル内容を表示して、すなわち管理テーブル３３ｃと表示用テーブル３３ｄの内容に基づく上記ステップ(S16) の処理を実行して、次のステップに進む。
(S35) クリックされた回転ボタンが連続順方向ボタン１５であるかどうかを判断し、「YES 」の場合は次のステップに進み、「NO」の場合は一連の処理を終了する。
(S36) 停止ボタン１７がクリックされたかどうかを判断し、「YES 」の場合は一連の処理を終了し、「NO」の場合は次のステップに進む。
(S37) 上記ステップ(S33) のタイマリセット時から１秒経過したかどうかを判断し、「YES 」の場合はステップ(S33) に戻り、「NO」の場合はこの判断を繰り返す。
(S38) 図７に示すように管理テーブル３３ｃの管理番号とノード番号との対応を逆方向に一つずつずらすとともに、タイマ３３ｂをリセットして、次のステップに進む。
(S39) テーブル内容を表示して、すなわち管理テーブル３３ｃと表示用テーブル３３ｄの内容に基づく上記ステップ(S16) の処理を実行して、次のステップに進む。
(S40) クリックされた回転ボタンが連続逆方向ボタン１９であるかどうかを判断し、「YES 」の場合は次のステップに進み、「NO」の場合は一連の処理を終了する。
(S41) 停止ボタン１７がクリックされたかどうかを判断し、「YES 」の場合は一連の処理を終了し、「NO」の場合は次のステップに進む。
(S42) 上記ステップ(S38) のタイマリセット時から１秒経過したかどうかを判断し、「YES 」の場合はステップ(S38) に戻り、「NO」の場合はこの判断を繰り返す。ステップ(S37) および当該ステップで用いる経過時間の値は任意である。
【００４２】
なお、管理テーブル３３ｃの内容をノードデ−タ１乃至ノードデ−タＮのそれぞれに１，２，・・・，Ｎ−１，Ｎの順番の管理番号を付与した形にして、すなわち管理テーブル３３ｃと表示用テーブル３３ｄをまとめた形の管理テーブルを作成して、１５，１６，１８および１９の回転ボタンがクリックされたときには当該管理テーブルの管理番号とノードデ−タとの対応関係を上記のようにずらしてもよい。
【００４３】
また、図１の表示画面中のノードアイコンをクリックしてその資源状態を図２にように表示するとき、運用管理部３３ａは、当該資源に関する管理テーブルを図４乃至図７のそれと同じように作成し、当該管理テーブルおよび図８の資源一覧テーブル４２に基づく図９および図１０の処理を実行する。
【００４４】
また、本発明が、クラスタシステムの各ノードの運用状態を画面表示する場合のみに用いられるのではなく、各種システムの構成要素の状態を画面上でル−プ状に個別表示する場合に適用できることは勿論である。
【００４５】
図１１は、コンピュ−タ読み取り可能な記録媒体からプログラムを読み取って実行するコンピュ−タシステムの概要を示す説明図であり、５０はコンピュ−タシステム、５１はＣＰＵやディスクドライブ装置などを内蔵した本体部、５２は本体部５１からの指示により画像を表示するディスプレイ、５３は表示画面、５４はコンピュ−タシステム５０に各種情報を入力するためのキ−ボ−ド、５５は表示画面５３上の任意の位置を指定するマウス、５６は外部のデ−タベ−ス（ＤＡＳＤなどの回線先メモリ）、５７は外部のデ−タベ−ス５６にアクセスするモデム、５８はＣＤ−ＲＯＭやフロッピ−ディスクなどの可搬型記録媒体をそれぞれ示している。
【００４６】
プログラムを格納する記録媒体としては、
・プログラム提供者側のデ−タベ−ス５６（回線先メモリ）
・可搬型記録媒体５８
・本体部５１側のメモリ
などのいずれでもよく、当該プログラムは本体部５１にロ−デイングされてその主メモリ上で実行される。
【００４７】
【発明の効果】
本発明は、このように、システム構成要素の全体についての表示対象を個別表示群とそれ以外の非個別表示の集合部（例えば集合アイコン）とに分けて両者をル−プ状に画面表示した上で、回転表示の指示に基づいて、集合部に該当のシステム構成要素の例えば一つを新たに個別表示するとともに、それまで個別表示されていた例えば一つのシステム構成要素を集合部に入れているので、システム構成要素の数が個別表示総数を越える状況でも構成要素全体に対して優れた可視性を確保することができる。
【００４８】
また、ｘ，ｙの２方向への移動を前提とするスクロ−ル操作に比べて、基本的に単一方向への回転操作によりすべての構成要素を個別表示させているので、操作が簡単で利便性の高い画面表示手法を提供することができる。
【図面の簡単な説明】
【図１】本発明の、ノード数ｎのクラスタシステム表示を示す説明図である。
【図２】本発明の、異常ノード（ノード３）の資源表示を示す説明図である。
【図３】本発明の、システム構成例を示す説明図である。
【図４】本発明の、管理テーブル（集合アイコンなしの場合）を示す説明図である。
【図５】本発明の、管理テーブル（集合アイコンありの場合）を示す説明図である。
【図６】本発明の、管理テーブル（順方向回転）を示す説明図である。
【図７】本発明の、管理テーブル（逆方向回転）を示す説明図である。
【図８】本発明の、表示用テーブルを示す説明図である。
【図９】本発明の、複数ノードのル−プ状表示処理手順を示す説明図である。
【図１０】本発明の、複数ノードの回転表示処理手順を示す説明図である。
【図１１】本発明の、コンピュ−タ読み取り可能な記録媒体からプログラムを読み取って実行するコンピュ−タシステムの概要を示す説明図である。
【図１２】従来の、ノード表示を示す説明図である。
【符号の説明】
１：画面
２：ル−プ
１１：ノ−ド集合アイコン（集合部）
１２，１３，１４
：ノ−ドアイコン（の一部）
１５：連続順方向ボタン
１６：順方向ボタン
１７：停止ボタン
１８：逆方向ボタン
１９：連続逆方向ボタン
２１：資源集合アイコン（集合部）
２２，２３，２４
：資源アイコン（の一部）
３１：ノード群（コンピュータ群）
３２：入出力インタフェース
３３：表示制御装置
３３ａ：運用管理部（管理手段）
３３ｂ：タイマ
３３ｃ：管理テ−ブル
３３ｄ：表示用テ−ブル
３４：メモリ
３５：回転表示指示装置（マウス）
３６：表示装置
３６ａ：フレ−ムメモリ
３６ｂ：表示画面
４１：ノード一覧テーブル
４２：資源一覧テーブル
５０：コンピュ−タシステム
５１：ＣＰＵなどを内蔵した本体部
５２：ディスプレイ
５３：表示画面
５４：キ−ボ−ド
５５：マウス
５６：外部のデ−タベ−ス（ＤＡＳＤなどの回線先メモリ）
５７：モデム
５８：ＣＤ−ＲＯＭやフロッピ−ディスクなどの可搬型記録媒体
６１，６１ａ
：ノードアイコン
６２，６３
スクロ−ルボタン
Ｎ：ノ−ド総数
Ｄ：個別表示総数
Ｘ：ル−プ右側部分への個別表示数
Ｙ：ル−プ左側部分への個別表示数
Ｍ（＝Ｎ−Ｄ）
：集合アイコンに該当するノード数
【図１】
0004049285.tif 000002
【図２】
0004049285.tif 000003
【図３】
0004049285.tif 000004
【図４】
0004049285.tif 000005
【図５】
0004049285.tif 000006
【図６】
0004049285.tif 000007
【図７】
0004049285.tif 000008
【図８】
0004049285.tif 000009
【図９】
0004049285.tif 000010
【図１０】
0004049285.tif 000011
【図１１】
0004049285.tif 000012
【図１２】
0004049285.tif 000013